(57)【特許請求の範囲】
【請求項１】
遊技球が入賞可能な入賞口を有する入賞装置を備えたパチンコ機であって、
前記入賞装置は、第１入賞口及び第２入賞口と、当該第１入賞口及び第２入賞口をそれぞれ独立して開閉可能な第１開閉部材及び第２開閉部材とを備え、
前記第１開閉部材及び前記第２開閉部材を駆動することによって、前記第１入賞口と前記第２入賞口とを共に拡開する状態と、前記第１入賞口と前記第２入賞口とのうち一方の入賞口のみを拡開する状態とをそれぞれ形成する構成であり、
前記第１開閉部材と前記第２開閉部材とが上下方向に配置され、かつ上側に位置する開閉部材の長さが下側に位置する開閉部材の長さよりも短縮された構成であることを特徴とする、入賞装置を備えたパチンコ機。
【請求項２】
遊技球が入賞可能な入賞口を有する入賞装置を備えたパチンコ機であって、
前記入賞装置は、第１入賞口及び第２入賞口と、当該第１入賞口及び第２入賞口をそれぞれ独立して開閉可能な第１開閉部材及び第２開閉部材とを備え、
前記第１開閉部材及び前記第２開閉部材を駆動することによって、前記第１入賞口と前記第２入賞口とを共に拡開する状態と、前記第１入賞口と前記第２入賞口とのうち一方の入賞口のみを拡開する状態とをそれぞれ形成する構成であり、
前記第１開閉部材と前記第２開閉部材とが上下方向に配置され、かつ下側に位置する開閉部材の支軸が上側に位置する開閉部材の支軸よりも外方に位置する構成であることを特徴とする、入賞装置を備えたパチンコ機。
【請求項３】
請求項１に記載の入賞装置を備えたパチンコ機であって、
前記第１開閉部材及び前記第２開閉部材のうち、下側に位置する開閉部材の支軸が上側に位置する開閉部材の支軸よりも外方に位置する構成であることを特徴とする、入賞装置を備えたパチンコ機。
【発明の詳細な説明】
【０００１】
【発明の属する技術分野】
この発明は遊技盤に装着される入賞装置を備えたパチンコ機に関する。
【０００２】
【従来の技術】
パチンコ機の遊技盤にはパチンコ球が入賞口に入賞する入賞態様や、入賞した入賞球が大当り入賞する特別入賞態様に関して種々の趣向を有する入賞装置が装着される。
【０００３】
【発明が解決しようとする課題】
本発明は入賞装置を備えたパチンコ機において、パチンコ球が入賞口に入賞する入賞態様に関して新規な趣向を加えることを課題とするものである。
【０００４】
【課題を解決しようとする手段】
本発明の請求項１に記載の入賞装置を備えたパチンコ機は、遊技球が入賞可能な入賞口を有する入賞装置を備えたパチンコ機であって、
前記入賞装置は、第１入賞口及び第２入賞口と、当該第１入賞口及び第２入賞口をそれぞれ独立して開閉可能な第１開閉部材及び第２開閉部材とを備え、
前記第１開閉部材及び前記第２開閉部材を駆動することによって、前記第１入賞口と前記第２入賞口とを共に拡開する状態と、前記第１入賞口と前記第２入賞口とのうち一方の入賞口のみを拡開する状態とをそれぞれ形成する構成であり、
前記第１開閉部材と前記第２開閉部材とが上下方向に配置され、かつ上側に位置する開閉部材の長さが下側に位置する開閉部材の長さよりも短縮された構成であることを特徴とする。
また、本発明の請求項２に記載の入賞装置を備えたパチンコ機は、遊技球が入賞可能な入賞口を有する入賞装置を備えたパチンコ機であって、
前記入賞装置は、第１入賞口及び第２入賞口と、当該第１入賞口及び第２入賞口をそれぞれ独立して開閉可能な第１開閉部材及び第２開閉部材とを備え、
前記第１開閉部材及び前記第２開閉部材を駆動することによって、前記第１入賞口と前記第２入賞口とを共に拡開する状態と、前記第１入賞口と前記第２入賞口とのうち一方の入賞口のみを拡開する状態とをそれぞれ形成する構成であり、
前記第１開閉部材と前記第２開閉部材とが上下方向に配置され、かつ下側に位置する開閉部材の支軸が上側に位置する開閉部材の支軸よりも外方に位置する構成であることを特徴とする。
また、本発明の請求項３に記載の入賞装置を備えたパチンコ機は、請求項１に記載の入賞装置を備えたパチンコ機であって、
前記第１開閉部材及び前記第２開閉部材のうち、下側に位置する開閉部材の支軸が上側に位置する開閉部材の支軸よりも外方に位置する構成であることを特徴とする。
【０００５】
【作用】
本発明の請求項１に記載の入賞装置を備えたパチンコ機において、第１開閉部材及び第２開閉部材が駆動され、第１入賞口と第２入賞口とがそれぞれ独立して開閉される。第１入賞口と第２入賞口とを共に拡開する状態と、これら第１入賞口と第２入賞口とのうち一方の入賞口のみを拡開する状態とをそれぞれ形成する構成であるとともに、第１開閉部材と第２開閉部材とが上下方向に配置され、かつ上側に位置する開閉部材の長さが下側に位置する開閉部材の長さよりも短縮された構成であるため、第１開閉部材及び第２開閉部材の開閉態様によって、第１入賞口や第２入賞口への遊技球の導入態様の特異化や入賞の難易度の設定の多様化が図られる。
また、本発明の請求項２に記載の入賞装置を備えたパチンコ機において、第１開閉部材及び第２開閉部材が駆動され、第１入賞口と第２入賞口とがそれぞれ独立して開閉される。第１入賞口と第２入賞口とを共に拡開する状態と、これら第１入賞口と第２入賞口とのうち一方の入賞口のみを拡開する状態とをそれぞれ形成する構成であるとともに、第１開閉部材と第２開閉部材とが上下方向に配置され、かつ下側に位置する開閉部材の支軸が上側に位置する開閉部材の支軸よりも外方に位置する構成であるため、第１開閉部材及び第２開閉部材の開閉態様によって、第１入賞口や第２入賞口への遊技球の導入態様の特異化や入賞の難易度の設定の多様化が図られる。
また、本発明の請求項３に記載の入賞装置を備えたパチンコ機において、請求項１に記載の第１開閉部材及び第２開閉部材のうち、下側に位置する開閉部材の支軸が上側に位置する開閉部材の支軸よりも外方に位置する構成であるため、第１開閉部材及び第２開閉部材の開閉態様によって、更に第１入賞口や第２入賞口への遊技球の導入態様の特異化や入賞の難易度の設定の多様化が図られる。
【０００６】
【発明の効果】
前記したように、本発明によれば、第１開閉部材及び第２開閉部材の開閉態様によって、第１入賞口や第２入賞口への遊技球の導入態様を特異化することができ、また、第１入賞口や第２入賞口への遊技球の入賞難易度の設定を多様化することができるため、ゲーム性を高めることが可能となる。
【０００７】
【発明の実施の形態】
次に、本発明の実施の形態を図面にしたがって説明する。
パチンコ機の遊技盤１の中央部には中央入賞装置（センタ役物）Ｎが設置されるとともに、遊技盤１の下端部にはそれぞれ始動口２ａを有し、入賞装置Ｎの下方で横一列に配列された３つの始動入賞装置２が設置されている。
【０００８】
中央入賞装置Ｎにおいて、そのベース板５は遊技盤１の遊技盤面１ａにビス止めされて遊技盤面１ａに沿って垂立され、このベース板５の中央部には開口部が方形状に開口され、ベース板５の前面の上端部には開口部の上方で遊技盤面１ａの前側に設置された上球受部材６が結合されている。
【０００９】
上球受部材６の上端には天入賞口７が開設され、上球受部材６内にはその中央部に配設されたカウント表示ＬＥＤ８と、このカウント表示ＬＥＤ８の両側方に配設された多数個のラウンド表示ランプ９とが設置されている。
【００１０】
ベース板５の前面の下端部には上球受部材６の直下に空隙を隔てて設置された上方開放の下球受部材１０が結合されている。
【００１１】
下球受部材１０にはベース板５の前方にパチンコ球約１個分の間隙を隔てて垂立された前壁板１０ａと、この前壁板１０ａの後面の両側縁および下端縁に連接された後壁板１０ｂと、前壁板１０ａの後面の左右方向中央部付近に連接されてパチンコ球約１個分の間隙を隔てて並行状に垂立された左右１対の仕切り壁１０ｃとが形成されている。
【００１２】
下球受部材１０の両仕切り壁１０ｃ間には下球受部材１０内の左右方向中央部に配設されて入賞球の通過時に遊技者に特別な利益を与える特定領域１１が形成され、両仕切り壁１０ｃの両側方には入賞球の通過時に遊技者に利益を与えない左右１対の通常入賞領域１２が形成されている。
【００１３】
特定領域１１内へ落入して特定領域１１内を流下した入賞球はベース板５の下端中央部に開設された中球出口１３を通り抜け、図示しない特定領域通過検出スイッチによってその通過が検出されてから遊技盤１の裏側へ誘導され、中央入賞装置Ｎの後下方へ送り出される。
【００１４】
通常入賞領域１２内へ落入して通常入賞領域１２内を通り抜けた入賞球はベース板５の下端の左右部に開設された左右球出口１４を通り抜けて中央入賞装置Ｎ外へ送り出される。
【００１５】
ベース板５の開口部の後側に設置された前方開放のケース体２７内および上下球受部材６，１０間には入賞球を受入れて通過させる入賞室１６が形成され、この入賞室１６の底部には前端縁が下球受部材１０の上端の開口部の後開口縁に整合された底板２８が前下り状に傾斜して設置されている。底板２８上へ転落した入賞球は特定領域１１内若しくは両通常入賞領域１２内に導入される。
【００１６】
ベース板５の上下方向中央部の若干下方には下球受部材１０の横幅とほぼ等しい間隔を隔てて前後方向に沿って水平状に設置されて図示しないソレノイドによって相反方向へ回転駆動される左右１対の下支軸３１が貫挿されている。
【００１７】
ベース板５の上下方向中央部には両下支軸３１の間隔より縮小された間隔を隔てて前後方向に沿って水平状に設置されて図示しないソレノイドによって下支軸３１とは別個に相反方向へ回転駆動される左右１対の上支軸３０が貫挿されている。
【００１８】
両下支軸３１の前端には両下支軸３１の正逆回転によって内方および外方へ同期的に搖動する左右１対の第１開閉羽根１７の基端部が固定されている。
【００１９】
両上支軸３０の前端には第１開閉羽根１７の長さより短縮された長さを有し、両第１開閉羽根１７の上内方にそれぞれ設置されて両上支軸３０の正逆回転によって内方および外方へ同期的に搖動する左右１対の第２開閉羽根１８の基端部が固定されている。
【００２０】
入賞室１６内の前端で、左右の第１開閉羽根１７と、左右の第２開閉羽根１８との間には第１開閉羽根１７によって開閉される左右１対の第１入賞口２０が形成され、この第１入賞口２０に入賞した入賞球は底板２８上へ転落して特定領域１１および左右の通常入賞領域１２のうちの何れかに落入する。
【００２１】
両第１入賞口２０の上方で左右の第２開閉羽根１８と上球受部材６の左右の下端縁６ａとの間には第２開閉羽根によって開閉される左右１対の第２入賞口２１が形成されている。
【００２２】
両第２開閉羽根１８がそれぞれ内方へ搖動して両第２入賞口２１が閉鎖された状態で第１開閉羽根１７がそれぞれ外方へ搖動すると、両第１入賞口２０が開放され、両第１開閉羽根１７がそれぞれ外方へ搖動して両第１入賞口２０開放された状態で両第２開閉羽根１８がそれぞれ外方へ搖動すると、両第２入賞口２１が開放される。
【００２３】
両第１入賞口２０は両第２入賞口２１の開閉とは無関係に開閉され、両第２入賞口２１は両第１入賞口２０の開放時のみ開放が可能となる。
【００２４】
遊技盤面１ａに打込まれたパチンコ球が始動入賞装置２の始動口２ａに入賞し、始動口入賞検出スイッチによって検出されると、両第１開閉羽根１７および両第２開閉羽根１８がそれぞれ１回往復搖動して両第１入賞口２０および両第２入賞口２１が例えば０．３５秒間開放される。
【００２５】
両第１入賞口２０および両第２入賞口２１の開放中に各入賞口２０，２１の何れかに入賞した入賞球が特定領域１１へ落入して特定領域１１を通過したときには両第１開閉羽根１７および両第２開閉羽根１８が往復搖動動作を反復し、両第１入賞口２０および両第２入賞口２１が連続開閉される。
【００２６】
この１ラウンドの連続開閉に際し、両第１開閉羽根１７は１８回連続して往復搖動して両第１入賞口２０は１８回連続開閉され、両第２開閉羽根１８は５回連続して往復搖動して両第２入賞口２１は５回連続され、１８回の連続開閉のうち、１回目から５回目までは各入賞口２０，２１が共に開閉され、６回目から１８回目までは両第１入賞口２０のみが開閉される。
【００２７】
各入賞口２０，２１の１ラウンドの連続開閉中に各入賞口２０，２１に入賞した入賞球が特定領域１１を通過したときには、次にラウンドが継続され各入賞口２０，２１が上記開閉態様と同様な開閉態様で連続開閉される。この連続開閉の繰返し回数（ラウンド回数）は最初の回数を含めて最高１６回（１６ラウンド）まで許容される。
【００２８】
両第１入賞口２０の開閉中にパチンコ球が第１入賞口２０に１０個入賞したときにはその時点で両第１入賞口２０が閉鎖される。
【００２９】
上下球受部材６，１０間の中央部には入賞室１６内の上下方向中央部の前端に横架されて両第２入賞口２１に入賞した入賞球を後方へ誘導する棚板２３が後下り状に傾斜して設置されている。第２入賞口２１に入賞した入賞球は棚板２３上へ転落してから底板２８上へ転落し、特別領域１１および両通常入賞領域１２のうちの何れかに導入される。
【００３０】
入賞室１６内の後部には棚板２３の後側で底板２８上に設置されたキャラクタ２４が装入されている。
【００３１】
キャラクタ２４の上部にはダイナマイトを模擬したほぼ球面状の外周面形状を有するキャラクタ本体２５が形成され、キャラクタ２４の下部には両脚を模擬した形状を有する左右１対の脚体２６が形成されている。
【００３２】
キャラクタ２４のキャラクタ本体２５の前面の顔面部にはサングラスを模擬した形状を有し、棚板２３上の中央部から転落した入賞球の受止めが可能な球貯留部２５ａが形成されている。
【００３３】
キャラクタ本体２５は図示しないモータによって駆動されて遊技盤面１ａと平行でキャラクタ本体２５の中心を通る水平軸を中心として正逆に回動し、球貯留部２５ａがキャラクタ本体２５の回動中心の前方へ回動して入賞球の受止めが可能となった上向き姿勢と、球貯留部２５ａがキャラクタ本体２５の回動中心の前下方へ回動して受止めた入賞球の放出が可能となった下向き姿勢とに変換される。
【００３４】
キャラクタ２４の両脚体２６は前記モータによってキャラクタ本体２５と同調して駆動されて脚体２６の中心を通る垂直軸を中心として内外方向へ回動し、キャラクタ本体２５が上向き姿勢となったときに両脚体２６の下端の１対の靴部が前方に向って開いた姿勢に変換され、キャラクタ本体２５が下向き姿勢となったときに両靴部が閉じて平行となった姿勢に変換される。
【００３５】
キャラクタ２４のキャラクタ本体２５および両脚体２６はパチンコ機の電源投入時にそれぞれ起動され、キャラクタ本体２５は繰返し往復回動して上向き姿勢と下向き姿勢とに繰返し変換され、両脚体２６は繰返し往復回動して両靴部が開いた姿勢と閉じた姿勢とに繰返し変換される。
【００３６】
両第１入賞口２０が連続開閉を開始してから終了するまでの間キャラクタ本体２５は上向き姿勢で保持され、両脚体２６は両靴体２６ａが開いた姿勢で保持される。入賞球が９個カウントされた時点でキャラクタ本体２５は下向き姿勢に変換され、両脚体２６は両靴部が閉じた姿勢に変換される。
【００３７】
第２入賞口２１に入賞して棚板２３上へ転落した入賞球のうち、上向き姿勢のキャラクタ本体２５の球貯留部２５ａで受止められた入賞球はキャラクタ本体２５の姿勢が下向き姿勢に変換されたときに球貯留部２５ａ内からその前方へ向けて放出されて特定領域１１に落入する。
【００３８】
入賞室１６内の下部には第１入賞口２０に入賞した入賞球が底板２８上へ転落して特定領域１１内に導入されるまでに経由する第１の入賞経路３２が形成されるとともに、入賞室１６内には第２入賞口２１に入賞した入賞球が棚板２３上へ転落し、さらに、キャラクタ本体２５の球貯留部２５ａを経て、底板２８上へ転落し、特定領域１１内に導入されるまでに経由する第２の入賞経路３３が形成されている。
【００３９】
第１入賞口２０に入賞した入賞球が第１の入賞経路３２を経由し、特定領域１１内に導入されて大当り入賞となる確率は、第２入賞口２１に入賞した入賞球が第２の入賞経路３３を経由し、特定領域１１内に導入されて大当り入賞となる確率より低くなるように設定されている。
【００４０】
次に、上記した構成をもつこの実施の形態の作用と効果を説明する。
この実施の形態では、入賞室１６内の前端部には第１開閉羽根１７によって開閉される第１入賞口２０と、第２開閉羽根１８によって開閉される第２入賞口２１とを形成し、入賞室１６内には第１入賞口２０に入賞した入賞球が、遊技者に利益を与える特定領域１１内に導入されるまでに経由する第１の入賞経路３２と、第２入賞口２１に入賞した入賞球が特定領域１１内に導入されるまでに経由する第２の入賞経路３３とを形成してある。
【００４１】
このため、第１、第２入賞口２０，２１を共に開閉したり、第１、第２入賞口２０，２１のうちの一方のみを開閉することによって、入賞室１６内への入賞球の導入態様を特異化することができ、また、入賞の難易度の設定を多様化することができるとともに、入賞球が特定領域１１に落入するまでに経由する２つの入賞経路３２，３３を形成してあるので、入賞球が大当り入賞するまでの大当り入賞過程に変化を与えてゲーム性を高めることができる。
【００４２】
また、この実施の形態では第２入賞口２１に入賞した入賞球がキャラクタ本体２５の球貯留部２５ａによって受止められるか受止められないかによって大当り入賞の成否が分別されるので、大当り入賞態様の特異性を高めてゲームの興趣を高めることができる。
【図面の簡単な説明】
【図１】本発明の実施の形態を示す遊技盤の正面図である。
【図２】同じく、中央入賞装置の正面図である。
【図３】中央入賞装置の要部の縦断面図である。
【図４】大当り入賞過程を説明する要部の正面図である。
【図５】大当り入賞過程を説明する要部の側面図である。
【符号の説明】
１１  特定領域
１６  入賞室
１７  第１開閉羽根
１８  第２開閉羽根
２０  第１入賞口
２１  第２入賞口
３２  第１の入賞経路
３３  第２の入賞経路
Ｎ  中央入賞装置
【図１】
0003581805.tif 000002
【図２】
0003581805.tif 000003
【図３】
0003581805.tif 000004
【図４】
0003581805.tif 000005
【図５】
0003581805.tif 000006